(57)【要約】【課題】本発明はキッチンパネルに関するもので、防汚性を改善し、また、ゴキブリなどの不快害虫を寄せ付けないにおいを発生するキッチンパネル、または使用する人に好ましい香りを発生するキッチンパネルを提供するものである。【解決手段】樹脂成分と表面自由エネルギーが前記樹脂成分の表面自由エネルギーより小さい添加剤とにおいを発散する物質を含む塗料で、キッチンパネルの少なくとも一部を塗装することにより防汚性が改善され、不快害虫忌避性を有する衛生的で快適なキッチンパネルとなる。【選択図】  図１
2004284230.tif 000002
【特許請求の範囲】
【請求項１】
樹脂成分と表面自由エネルギーが前記樹脂成分の表面自由エネルギーより小さい物質の添加剤とにおいを発散する物質を含んでなる塗料で少なくとも一部を塗装したキッチンパネル。
【請求項２】
樹脂成分と表面自由エネルギーが前記樹脂成分の表面自由エネルギーより小さい物質の添加剤とにおいを発散する物質とを含んでなる基材で構成したキッチンパネル。
【請求項３】
前記塗料あるいは前記基材に抗菌剤を含んでなる請求項１または２のいずれか１項に記載のキッチンパネル。
【請求項４】
抗菌剤として無機系抗菌剤の少なくとも一種と有機系抗菌剤の少なくとも一種からなる請求項３記載のキッチンパネル。
【請求項５】
添加剤は有機珪素化合物の群より選ばれる少なくとも一種からなる請求項１〜４のいずれか１項に記載のキッチンパネル。
【請求項６】
添加剤は有機フッ素化合物の群より選ばれる少なくとも一種からなる請求項１〜４のいずれか１項に記載のキッチンパネル。
【請求項７】
においを発散する物質が害虫忌避性を有する天然精油およびピレスロイド系物質からなる群より選ばれる少なくとも一種からなる請求項１〜６のいずれか１項に記載のキッチンパネル。
【請求項８】
においを発散する物質が香料からなる請求項１〜６のいずれか１項に記載のキッチンパネル。
【発明の詳細な説明】
【０００１】
【発明の属する技術分野】
本発明は、主としてキッチンなどの水回り空間の扉や表面材として使用する耐汚染性に優れ、また害虫忌避性を有する改良されたキッチンパネルに関するものである。
【０００２】
【従来の技術】
従来、システムキッチンに使用されるキッチンパネルは、アルミ板、鉄板もしくはステンレス鋼板等の表面にフッ素樹脂フィルムを接着したもの（例えば特許文献１、２参照）や、キッチンパネル表面を撥水処理したホーローで構成するもの（例えば特許文献３参照）などが主体であった。一方、木材は古くから建築材料として各種の部位に使用されてきた。加工が容易で軽量である割には強度もあり、天然の木の有する独特な肌合いは我が国でも特に重用されてきた。しかしながら、近年、熱帯雨林の木材の大量伐採や森林の開発が生物の生育環境を破壊し、地球の生活環境を急激に悪化させる重大な事実に関連し、特に日本の木材消費を低減させねばならないという要求が高まっている。このような社会的要望に沿って、木材加工工場などから廃棄物として多量に排出される木粉を樹脂成分に配合、成形し合成木材成形品とすることで資源の有効利用が図られてきた。合成木材は比較的安価でありながら軽量で強度も大きく加工性もよいことなどからエクステリア製品、ベランダ、サンルーム、窓枠、ドアや建造物の壁材、床材、電気・電子機器その他の筐体などに使用されている。最近では家庭内、特に台所を中心とする水回り用製品、例えばキッチンパネルの部材としても使用されており（例えば特許文献４参照）、それらの使用状況によっては汚れがつきやすく、カビ、細菌の増殖を招き、悪臭の発生源となることもある。また、ゴキブリをはじめとする不快害虫の侵入による被害を受けたりし、本来清潔であるべき台所を中心とした水回り場所の清潔感を損ねる原因ともなっている。
【０００３】
【特許文献１】
特開平０９−１２５５６２号公報
【特許文献２】
特開平１１−４８４０２号公報
【特許文献３】
特開２０００−２５６８８１号公報
【特許文献４】
特開２００１−３０４２１号公報
【０００４】
【発明が解決しようとする課題】
近年、生活様式の多様化に伴い、国民の間に清潔意識なるものが若年層を中心に広まってきた。しかしながら、特に台所におけるキッチンパネルは、汚れがつきやすく、それらの汚れを餌に細菌やカビが増殖し、悪臭の発生源ともなり、外観的にも、衛生的にも問題があった。また、キッチンパネルはキャビネットのドアパネルとして使用されることも多く、キャビネット内の豊富な餌および水、適当な温度などの誘引要因によりドアパネルとの隙間を介して、キャビネット内にゴキブリをはじめとする不快害虫が誘引されやすいという課題があった。
【０００５】
【課題を解決するための手段】
本発明は、上記課題を解決するために、樹脂成分と表面自由エネルギーが前記樹脂成分の表面自由エネルギーより小さい物質の添加剤とにおいを発散する物質を含んだ塗料で少なくとも一部を塗装したキッチンパネルとしたものである。
【０００６】
上記発明によれば、表面自由エネルギーの、より小さい物質の添加効果で、キッチンパネルの表面は表面エネルギーが減少し、撥水性が向上し、汚れ成分との相互作用が減少するため防汚性が大幅に改善される。また、細菌およびカビもそれらの餌になる汚れ成分の付着量が少ないので、増殖も抑制される。またにおいを発散する物質の効果により、使用者に好ましい香りを長期にわたり発生するキッチンパネルを得ることができる。また、害虫忌避性を有するにおいを発散する物質の効果により、ゴキブリをはじめとする不快害虫忌避性を長期にわたり有するキッチンパネルを得ることができる。さらに、においを発散する物質と不快害虫忌避性を有するガスを発散する物質の両方を含んだ塗料でキッチンパネルの少なくとも一部を塗装することにより、使用者には好ましい香りを発生し、ゴキブリをはじめとする不快害虫には忌避性を有する清潔で快適なキッチンパネルを得ることができる。
【０００７】
【発明の実施の形態】
本発明の請求項１に記載の発明は、樹脂成分と表面自由エネルギーが前記樹脂成分の表面自由エネルギーより小さい物質の添加剤とにおいを発散する物質を含む塗料で、少なくとも一部を塗装したキッチンパネルとしたものである。表面自由エネルギーが樹脂成分の表面自由エネルギーより小さい添加剤を含むことにより、キッチンパネル表面は撥水性が向上し、汚れ成分に対し低活性となり汚れ成分が付着しにくくなる。さらに、細菌およびカビもそれらの餌になる汚れ成分の付着量が少ないので、増殖が抑制される。また、においを発散する物質が、揮発性の芳香物質であることにより、使用者に好ましい香りを発生するキッチンパネルとなり、あるいはにおいを発散する物質が、悪臭をマスキングする揮発性物質であることにより使用者に快適なキッチンパネルとなる。また、においを発散する物質が、揮発性の害虫忌避物質であることによりゴキブリをはじめとする不快害虫忌避性を有するキッチンパネルとなる。
【０００８】
請求項２に記載の発明は、表面自由エネルギーがより小さい物質の添加剤とにおいを発散する物質を含む基材で構成したキッチンパネルとしたものである。表面自由エネルギーの、より小さい物質の添加による汚れ防止効果と、さらに細菌およびカビもそれらの餌になる汚れ成分の付着量が少ないので、増殖が抑制される衛生的なキッチンパネルが可能となる。また、においを発散する物質が、芳香物質であることにより、使用者に好ましい香りを発生するキッチンパネルとなる。さらに、においを発散する物質が害虫忌避物質であることにより、ゴキブリをはじめとする不快害虫忌避性をも有するキッチンパネルが可能となる。
【０００９】
請求項３に記載の発明は、表面自由エネルギーがより小さい物質の添加剤とにおいを発散する物質と抗菌剤を含む塗料あるいは基材で構成したキッチンパネルとしたものである。表面自由エネルギーの、より小さい物質の添加による汚れ防止効果と抗菌剤の添加効果のシナジー効果により、汚れ成分も細菌もカビも積極的に増殖させない衛生的なキッチンパネルが可能となる。また、においを発散する物質が、芳香物質であることにより、使用者に好ましい香りを発生するキッチンパネルとなる。さらに、においを発散する物質が害虫忌避物質であることにより、ゴキブリをはじめとする不快害虫忌避性をも有するキッチンパネルが可能となる。
【００１０】
請求項４に記載の発明は、請求項３記載の発明において、抗菌剤として無機系抗菌剤の少なくとも一種と有機系抗菌剤の少なくとも一種とすることにより、無機系抗菌剤の作用により主として細菌の増殖を抑制し、さらには細菌の増殖に起因する悪臭の発生も抑制する。また、有機系抗菌剤の作用により主として黴の増殖を抑制する。以上のように、黴、細菌さらには悪臭の発生を抑制し、ゴキブリなど不快害虫忌避性を有する衛生的で快適なキッチンパネルとなる。
【００１１】
請求項５に記載の発明は、請求項１から３のいずれか一項に記載の発明において、添加剤が有機珪素化合物の群より選ばれる少なくとも一種とすることにより、有機珪素化合物の非常に低い表面自由エネルギー効果で、より少量の添加量でキッチンパネル表面の撥水性を大幅に向上させることが可能となる。
【００１２】
請求項６に記載の発明は、請求項１から３のいずれか一項に記載の発明において、添加剤が有機フッ素化合物の群より選ばれる少なくとも一種とすることにより、有機フッ素化合物の非常に低い表面自由エネルギー効果で、より少量の添加量でキッチンパネル表面の撥水性を大幅に向上させることが可能となる。
【００１３】
請求項７に記載の発明は、請求項１から３のいずれか一項に記載の発明において、においを発散する物質が害虫忌避性を有する天然精油およびピレスロイド系物質からなる群より選ばれる少なくとも一種とすることにより、ゴキブリをはじめとする害虫忌避性を効果的に有するキッチンパネルとなる。
【００１４】
請求項８に記載の発明は、請求項１から３のいずれか一項に記載の発明において、においを発散する物質が香料とすることにより、使用者に好ましい香りを発生する快適なキッチンパネルとなる。
【００１５】
なお、本発明における樹脂成分としては、熱可塑性樹脂としてポリ酢酸ビニル、ポリメタクリリル酸メチル、ポリエチレン、ポリスチレン、ポリ塩化ビニル、ポリプロピレンなどが挙げられるが、これに限定するものではない。また、熱硬化製樹脂としてフェノール樹脂、尿素樹脂、メラミン樹脂、アルキド樹脂、不飽和ポリエステル樹脂、エポキシ樹脂、ウレタン樹脂、熱硬化性アクリル樹脂などが挙げられるが、これに限定するものではない。
【００１６】
本発明における有機珪素化合物としては、ジメチルポリシロキサン、メチルフェニルポリシロキサン、ジフェニルポリシロキサン、メチルハイドロジエンポリシロキサン、などのシリコーン化合物。それらのシリコーン化合物をアルキッド変性、ポリエステル変性、アクリル変性、エポキシ変性した変性シリコーン化合物などがあげられるが、これらに限定するものではない。また、アルキルシラン化合物としては、トリメチルメトキシシラン、トリメチルエトキシシラン（以下メトキシがエトキシやクロロであってもよい）、ジメチルジメトキシシラン、メチルトリメトキシシラン、メチルジメトキシシラン、ジメチルメトキシシラン、ジフェニルジメトキシシラン、フェニルトリメトキシシランなどが挙げられるが、これらに限定するものではない。
【００１７】
有機フッ素化合物としては、ポリテトラフルオロエチレン、テトラフルオロエチレン・パーフルオロアルキルビニルエーテル共重合体、テトラフルオロエチレン・ヘキサフルオロプロピレン共重合体、テトラフルオロエチレン・エチレン共重合体、ポリクロロトリフルオロエチレン、ポリフッ化ビニリデン、テトラフルオロエチレン・ヘキサフルオロプロピレン・パーフルオロアルキルビニルフルオライド、フッ化ビニリデン・テトラフルオロエチレン共重合体、ポリフッ化ビニルエーテル、フッ化ビニルエーテル・テトラフルオロエチレン共重合体、フッ化ビニリデン・テトラフルオロエチレン・ヘキサフルオロプロピレン共重合体、フッ化ビニリデン・ヘキサフルオロプロピレン共重合体。また、パーフルオロポリエーテル、パーフルオロアルキルポリエーテル、三フッ化エチレン重合体などのフッ素オイル。また、フッ素系界面活性剤などが挙げられるが、これらに限定するものではない。また、パーフロロアルキルシラン化合物としては、前記アルキルシラン化合物のアルキル基のいくつかがフッ化炭素基に置換されたものであり、例えば、ＣＦ３（ＣＨ２）２Ｓｉ（ＯＣＨ３）３、ＣＦ３（ＣＦ２）５（ＣＨ２）２Ｓｉ（ＯＣＨ３）３、ＣＦ３（ＣＦ２）７（ＣＨ２）２Ｓｉ（ＯＣＨ３）３、ＣＦ３（ＣＦ２）７（ＣＨ２）２ＳｉＣＨ３（ＯＣＨ３）２、ＣＦ３（ＣＦ２）３（ＣＨ２）２Ｓｉ（ＯＣＨ３）３、ＣＦ３（ＣＦ２）７（ＣＨ２）２ＳｉＣｌ３などの炭素数が１から２０のシラン化合物が挙げられるが、これらに限定するものではない。
【００１８】
本発明におけるにおいを発散する物質として、天然精油としてたとえば樹木や植物から放出または分泌される芳香物質であるフィトンチッドがあり、α−ピネン、β−ピネン、ミルセン、カンフェン、リモネン等のテルペン類が挙げられる。また、ピレスロイド系物質としてはエトフェンブロックス（１−（ｐエトキシフェニル）−２−メチルプロピル−３−フェノキシベンジルエーテル）、サイフェノスリン（（ＲＳ）−アルファ−シアノ−３−フェノキシベンジル（１Ｒ）−シス／トランス−クリサンテマート）、ペルメトリン（３−フェノキシベンジル−ｄｉ−シス／トランス−３（２，２−ジクロロビニル）−２，２−ジメチル−１−シクロプロパンカルボキシレート）、アレスリン（３−アリル−２−メチルシクロペンタ−２−エン−４−オン−１−イル  クリサンテマート）などが挙げられるが、これに限定するものではない。
【００１９】
使用者に好ましい香りを発生する香料として、６−アセチル−１，１，２，４，４，７−ヘキサメチルテトラヒドロナフタレン、γ−ウンドデカラクトン、カプロン酸エチル、カプリル酸エチル、けい皮アルコール、酢酸ゲラニル、酢酸イソアミルなどが挙げられるがこれに限定するものではない。
【００２０】
本発明における抗菌剤としては、無機系抗菌剤として、硝酸銀、硫酸銀、塩化銀など。銀、銅、、亜鉛、あるいは錫を担持したゼオライト、および銀、銅、亜鉛、あるいは錫を担持したシリカゲルなどが挙げられるが、これに限定するものではない。
【００２１】
有機系抗菌剤としては、１０，１０‘−オキシビスフェノキサアルシンなどフェニルエーテル誘導体、シクロフルアニドなどＮ−ハロアルキルチオ系化合物、２−（４−チアゾリル）ベンズイミダゾール（ＴＢＺと略称）などイミダゾール誘導体、２，３，５，６テトラコロル−４−（メチルスルホリル）ピリジンなど第４級アンモニウム塩などが挙げられるが、これに限定するものではない。
【００２２】
【実施例】
以下本発明を実施例により詳細に説明する。
【００２３】
（実施例１）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部と、メタクリル変性オルガノポリシロキサン１重量部と、ペルメトリン（害虫忌避剤）１重量部をニーダにて十分に攪拌混合した。混合物を型に挿入し硬化させ、キッチンパネルを得た。
【００２４】
（実施例２）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部と、パーフロロアルキルアクリレート１重量部と、ヒノキチオール１重量部をニーダにて十分に攪拌混合した。混合物を型に挿入し硬化させキッチンパネルを得た。
【００２５】
（実施例３）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部と、メタクリル変性オルガノポリシロキサン１重量部と、カプリル酸エチル１重量部をニーダにて十分に攪拌混合した。混合物を型に挿入し硬化させキッチンパネルを得た。
【００２６】
（実施例４）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部と、メタクリル変性オルガノポリシロキサン１重量部と、ペルメトリン１重量部と、銀ゼオライト２重量部とＴＢＺ２重量部をニーダにて十分に攪拌混合した。混合物を型に挿入し硬化させキッチンパネルを得た。
【００２７】
図１は本発明に係るシステムキッチンを示すものである。図２は本発明の一実施例におけるキッチンパネルを示す説明図である。
【００２８】
１はシステムキッチンである。２はキッチンパネルである。３はフードである。４は流し台である。５は調理台である。６はガス台である。７はメタクリル変性オルガノポリシロキサンに代表される添加剤である。８はペルメトリンに代表されるにおいを発散する物質である。９はゼオライトに代表される無機系抗菌剤である。１０はＴＢＺに代表される有機系抗菌剤である。７、８、９および１０は不飽和ポリエステル樹脂に代表される樹脂成分１１中に分散または溶解している。
【００２９】
（実施例５）
イソフタル酸系不飽和ポリエステルとスチレンの混合物よりなる不飽和ポリエステル樹脂１００重量部と、硬化触媒（５０％過酸化ベンゾイル）２重量部と、硬化促進剤（ジメチルアニリン）０．０３重量部と、木粉２００重量部をニーダにて十分攪拌混合した。混合物を型に挿入し硬化させ、得られた成形体の表面をメタクリル変性オルガノポリシロキサン１重量部とペルメトリン２重量部を添加したアクリル樹脂で被服塗装し、キッチンパネルを作成した。
【００３０】
（比較例）
イソフタル酸系不飽和ポリエステルとスチレンの混合物よりなる不飽和ポリエステル樹脂１００重量部と、硬化触媒（５０％過酸化ベンゾイル）３重量部と、硬化促進剤（ジメチルアニリン）０．０３重量部と、木粉２００重量部をニーダにて十分攪拌混合した。混合物を型に挿入し硬化させキッチンパネルを得た。
【００３１】
各実施例および比較例で得たそれぞれのキッチンパネルの撥水性を協和界面化学（株）製の接触角測定装置（ＣＡ−Ｚ型）で測定した。また、耐汚染性をＪＩＳ  Ｋ３３７０に準じて確認した。なお、耐汚染性の比較は目視で行い、比較例１における汚れ具合を△とし、それより悪い場合を×、よい場合を○としそれぞれ相対評価した。その結果を（表１）に示す。
【００３２】
【表１】
2004284230.tif 000003
【００３３】
次に、各実施例および比較例で得たそれぞれのキッチンパネルのゴキブリに対する忌避性能を評価した。前記キッチンパネルから２００ｍｍ×２００ｍｍの平板試料を切り出し、試料の上に餌と水を設置し、チャバネゴキブリ成虫３０匹のいる部屋にそれぞれ放置し、４８時間後餌の元の重さに対する残存率を調べた。その結果を（表２）に示す。
【００３４】
【表２】
2004284230.tif 000004
【００３５】
次に、実施例２、３および比較例で得たキッチンパネルからの芳香発散感応テストによる評価を行った。成人男女それぞれ５人でおこなった。その結果を（表３）に示す。
【００３６】
【表３】
2004284230.tif 000005
【００３７】
次に、各実施例および比較例で得たそれぞれのキッチンパネルの抗菌性能およびカビ抵抗性について試験を行った。前記キッチンパネルから５０ｍｍ×５０ｍｍの試料を切り出し、それぞれに菌液（黄色ブドウ球菌および大腸菌）１ｃｃを滴下し、３７℃で２４時間培養した。その後、滅菌済みリン酸緩衝液にて菌を洗い出した。この洗い出した液中の生菌数を、菌数測定用培地を用いて混釈平板法にて測定した。その結果を（表４）に示す。
【００３８】
【表４】
2004284230.tif 000006
【００３９】
寒天培地上においた各試料（５０ｍｍ×５０ｍｍ）にアスペルギルス・ニガー菌液を噴霧し、２５℃で７日間培養した。その結果を（表５）に示す。
【００４０】
【表５】
2004284230.tif 000007
【００４１】
（表１）から明らかなように、実施例１，２，３，４、５のキッチンパネルは比較例に比べ撥水性の向上が著しく、また耐汚染性も大いに改善されていた。これらの結果から、有機珪素化合物あるいは有機フッ素化合物添加剤効果によりキッチンパネルの撥水性および耐汚染性が大幅に改善されることが明らかになった。
【００４２】
（表２）から明らかなように、実施例１，２，４、５のキッチンパネルは比較例に比べゴキブリ忌避性能が著しく良好である。
【００４３】
（表３）から明らかなように、実施例２，３のキッチンパネルは比較例に比べ明らかに芳香を発散していることが分かる。
【００４４】
（表４）から明らかなように、実施例４のキッチンパネルは比較例に比べ黄色ブドウ球菌および大腸菌に対する著しい抗菌効果を得ることができた。
【００４５】
（表５）から明らかなように、実施例４のキッチンパネルは比較例に比べて良好な抗カビ性能を得ることができた。
【００４６】
【発明の効果】
以上説明したように本発明のキッチンパネルによれば、次の効果が得られる。
【００４７】
請求項１に記載した発明によれば、表面自由エネルギーが樹脂成分の表面自由エネルギーより小さい添加剤を含んでいることにより、キッチンパネル表面は撥水性が向上し、汚れ成分に対し低活性となり汚れ成分が付着しにくくなる。さらに、細菌およびカビもそれらの餌となる汚れ成分の付着が少ないので、増殖が抑制される。また、においを蒸散する物質がキッチンパネルに含まれることにより、使用者に好ましい香りを発生するキッチンパネルを得ることができる。また、においを蒸散する物質が悪臭をマスキングする揮発性物質であることにより使用者に不快感を与えない快適なキッチンパネルを得ることができる。また、においを蒸散する物質が揮発性の害虫忌避物質であることにより、ゴキブリをはじめとする不快害虫忌避性を有するキッチンパネルを得ることができる。
【００４８】
また、請求項２記載の発明によれば、表面自由エネルギーがより小さい物質の添加剤とにおいを発散する物質を含む基材でキッチンパネルを構成することにより、表面自由エネルギーのより小さい物質の添加による汚れ防止効果と、さらに細菌およびカビもそれらの餌になる汚れ成分の付着量が少ないので、増殖が抑制される衛生的なキッチンパネルを得ることができる。また、においを発散する物質が、芳香物質であることにより、使用者に好ましい香りを発生するキッチンパネルを得ることができる。さらに、においを発散する物質が害虫忌避物質であることにより、ゴキブリをはじめとする不快害虫忌避性をも有するキッチンパネルを得ることができる。
【００４９】
また、請求項３から６に記載の発明によれば、表面自由エネルギーの、より小さい物質の添加による汚れ防止効果と抗菌剤の添加効果のシナジー効果により、汚れ成分も細菌もカビも積極的に増殖させない衛生的なキッチンパネルが可能となる。
【００５０】
また、請求項７記載の発明によれば、においを蒸散する物質が害虫忌避性を有する天然精油およびピレスロイド系物質からなる群より選ばれる少なくとも一種を含むキッチンパネルとすることにより、ゴキブリをはじめとする害虫忌避性を効果的に有するキッチンパネルを得ることができる。
【００５１】
また、請求項８記載の発明によれば、においを蒸散する物質が香料からなる合成木材であることにより、香料の作用により使用者に好ましい香りを発生する快適なキッチンパネルを得ることができる。
【図面の簡単な説明】
【図１】本発明に係るシステムキッチン１の斜視図
【図２】本発明の実施例におけるキッチンパネルの説明図
【符号の説明】
２  キッチンパネル
７  添加剤
８  においを発散する物質
９  無機系抗菌剤
１０  有機系抗菌剤
１１  樹脂成分
【図１】
2004284230.tif 000008
【図２】
2004284230.tif 000009